(57)【要約】【課題】一個で複数種の演奏用ピストンの補修ができる楽器の演奏用ピストン補修具を得る。【解決手段】細長い主体（２１）の両端部に互いに仕様の異なる雄ねじ（２２）を形成するとともに、該雄ねじ（２２）はそれぞれ異種の演奏用ピストン（１５）の雌ねじ（１６ａ）とねじ係合可能とし、前記各雄ねじ（２２）の軸方向内方に位置する主体（２１）の両端部に、該主体（２１）の外周面から外側方に突出する握り体（２５）を着脱可能または一体的に設ける。また、前記握り体（２５）を細長い柱状とし、各雄ねじ（２２）の軸方向内方に位置する主体（２１）の両端部に通し孔（２３）を直交方向から貫通形成し、該通し孔（２３）に前記握り体（２５）を抜き差し可能に嵌合させ、前記主体（２１）の軸心部に前記握り体（２５）が収容できる中空部（２４）を形成する。【選択図】図２
0003121940.tif 000002
【実用新案登録請求の範囲】
【請求項１】
細長い主体（２１）の両端部に互いに仕様の異なる雄ねじ（２２）を形成するとともに、該雄ねじ（２２）はそれぞれ異種の演奏用ピストン（１５）の雌ねじ（１６ａ）とねじ係合可能とし、前記各雄ねじ（２２）の軸方向内方に位置する主体（２１）の両端部に、該主体（２１）の外周面から外側方に突出する握り体（２５）を着脱可能または一体的に設けたことを特徴とする楽器の演奏用ピストン補修具。
【請求項２】
握り体（２５）を細長い柱状とし、各雄ねじ（２２）の軸方向内方に位置する主体（２１）の両端部に通し孔（２３）を直交方向から貫通形成し、該通し孔（２３）に前記握り体（２５）を抜き差し可能に嵌合させ、前記主体（２１）の軸心部に前記握り体（２５）が収容できる中空部（２４）を形成したことを特徴とする請求項１記載の楽器の演奏用ピストン補修具。
【請求項３】
少なくとも、一方の雄ねじ（２２ｃ）は主体（２１）に着脱可能に連結したことを特徴とする請求項１又は２記載の楽器の演奏用ピストン補修具。
【考案の詳細な説明】
【技術分野】
【０００１】
本考案は、演奏用ピストンを有するトランペット、コルネット等の補修具に関し、特に演奏用ピストンが錆、塵埃等によって作動不良となった際に、この作動不良を改善する楽器の演奏用ピストン補修具に関するものである。
【背景技術】
【０００２】
一般に、トランペット、コルネット等の演奏用ピストンは、奏者の息に含まれる水分の付着による錆、あるいは外部からの塵埃浸入等によって作動不良になることがある。従来はこの作動不良となった演奏用ピストンを図５に示すような補修具を用いて改善するようにしていた。即ち、細長いロッド２の一端部に、演奏用ピストンの先端部に形成した雌ねじとねじ係合する雄ねじ３を形成し、前記ロッド２の他端部に大径の握り玉４を連結してなる演奏用ピストン補修具１を設ける。
【０００３】
そして、作動不良となった演奏用ピストンを改善する際には、前記雄ねじ３を演奏用ピストンの先端部に形成した雌ねじにねじ係合させ、握り玉４を握って軸方向に押し引きし、ピストン補修具１を介して演奏用ピストンを強制的に往復動させる。これにより、演奏用ピストンとシリンダとの摺動面に付着した錆、塵埃等の付着物を剥離させ、演奏用ピストンの作動不良を改善する。
【０００４】
前記従来のものは、ロッド２に形成する雄ねじ３が一種類のみであったため、楽器の機種、あるいは異なる製造メーカーに応じて多種類の演奏用ピストン補修具が必要となるものであった。
【考案の開示】
【考案が解決しようとする課題】
【０００５】
本考案は、一個で複数種の演奏用ピストンの補修ができる楽器の演奏用ピストン補修具を得ることを目的とする。
【課題を解決するための手段】
【０００６】
本考案は、上記目的を達成するために以下の如く構成したものである。即ち、請求項１に係る考案は、細長い主体の両端部に互いに仕様の異なる雄ねじを形成するとともに、該雄ねじはそれぞれ異種の演奏用ピストンの雌ねじとねじ係合可能とし、前記各雄ねじの軸方向内方に位置する主体の両端部に、該主体の外周面から外側方に突出する握り体を着脱可能または一体的に設ける構成にしたものである。
請求項２に係る考案は、前記握り体を細長い柱状とし、各雄ねじの軸方向内方に位置する主体の両端部に通し孔を直交方向から貫通形成し、該通し孔に前記握り体を抜き差し可能に嵌合させ、前記主体の軸心部に前記握り体が収容できる中空部を形成したものである。
請求項３に係る考案は、少なくとも、一方の雄ねじは主体に着脱可能に連結したものである。
【考案の効果】
【０００７】
請求項１に係る考案は、主体の両端部に形成した雄ねじを選択することにより、該雄ねじをそれぞれ異種の演奏用ピストンの雌ねじにねじ係合させることができる。また、演奏用ピストンにねじ係合した雄ねじと反対側に位置する握り体を持って主体を軸方向に押し引きすることによって前記ねじ係合した演奏用ピストンを強制的に往復動させることができ、該演奏用ピストンとシリンダとの摺動面に付着した錆、塵埃等の付着物を剥離させて該演奏用ピストンの作動不良を改善することができる。これにより、一個の演奏用ピストン補修具で複数種の演奏用ピストンの作動不良を改善することができる。
請求項２に係る考案は、柱状の握り体を演奏用ピストンにねじ係合した雄ねじと反対側に位置する通し孔に挿通し、該握り体を持って主体を軸方向に押し引きすることによって前記ねじ係合した演奏用ピストンを強制的に往復動させることができる。また、不使用時には、前記握り体を通し孔から外して主体の中空部に収容することにより、演奏用ピストン補修具をコンパクトすることができ、携行が容易となる。
また、請求項３に係る考案は、主体に着脱可能に連結した一方の雄ねじを他の雄ねじと交換することにより、主体及び握り体を共用してさらに異種の演奏用ピストンを補修することができる。
【考案を実施するための最良の形態】
【０００８】
以下本考案の実施例を図面に基づいて説明する。図において、図１は本考案が適用されたトランペットの側面図、図２は図１のＡ部拡大断面図、図３は本考案による演奏用ピストン補修具の断面図、図４は本考案の第２実施例を示す演奏用ピストン補修具の断面図である。
【０００９】
図１において、１０はトランペット、１５は音程を調節する演奏用ピストンであり、３個並列に有する。前記演奏用ピストン１５は、図１、図２に示すように、音波導管１１の途中に直交させて接続した３個のシリンダ１２にそれぞれ上下摺動可能に嵌合させ、各演奏用ピストン１５を上下動させることによって各シリンダ１２の音程孔（図示省略）を開閉することにより、前記音波導管１１の長さを切換えて所定の音程を生成するようになっている。
【００１０】
前記演奏用ピストン１５は、図２に示すように、シリンダ１２にピストン主体１６を摺動可能に嵌合させ、該ピストン主体１６の内周上端に雌ねじ１６ａを形成し、該雌ねじ１６ａに小径のロッド１７をねじ連結し、該ロッド１７を前記シリンダ１２から上方に突出させるとともに、該ロッド１７の上端部に大径の指受け１８を連結してなり、シリンダ１２に内装したばね（図示省略）によって常時上方に移動付勢されるようになっている。１３は前記シリンダ１２の上端にねじ連結したキャップであり、シリンダ１２の上面を閉塞するとともに、ピストン主体１６の上方への抜け防止するものである。
【００１１】
２０は前記演奏用ピストン１５の作動不良を改善する演奏用ピストン補修具であり、図２、図３に示すようになっている。即ち、ステンレス鋼製の細長いパイプからなる主体２１の上下両端部に互いに仕様（ねじのピッチ、径等）の異なる雄ねじ２２（２２ａ，２２ｂ）を形成する。該雄ねじ２２ａ，２２ｂは、本例では、楽器の機種、例えばトランペット、コルネット、あるいは楽器の製造メーカーで形成されている演奏用ピストン１５の雌ねじ１６ａを確認し、これらから代表的なものを２種類選択し、主体２１の下端部に形成する雄ねじ２２ａは、前記選択した一方の種類の雌ねじに対応する仕様に、また、主体２１の上端部に形成する雄ねじ２２ｂは、前記選択した他方の種類に雌ねじに対応する仕様にそれぞれ形成する。
【００１２】
前記各雄ねじ２２ａ，２２ｂの軸方向内方に位置する主体２１の両端部に等径の通し孔２３（２３ａ，２３ｂ）を直交方向から貫通形成し、該通し孔２３に柱状の握り体２５を抜き差し可能に嵌合させる。該握り体２５は、本例ではステンレス鋼により形成され、前記通し孔２３に嵌合する細長い本体部２５ａの一端部に、前記通し孔２３よりも若干大径となる頭部２５ｂを形成し、他端部にナット２５ｃを着脱可能にねじ係合してなる。
【００１３】
また、前記主体２１の内径は、握り体２５の頭部２５ｂよりも若干大径に、かつナット２５ｃよりも小径とし、これにより、前記主体２１の軸心部に、前記握り体２５の本体部２５ａ及び頭部２５ｂが嵌合する中空部２４を形成し、不使用時には図３の実線で示すように、前記握り体２５が主体２１内に収容できるようにする。また、前記各雄ねじ２２ａ，２２ｂの軸方向内方に位置する主体２１の両端部の外周に、それぞれの雄ねじ２２ａ，２２ｂが対応する楽器の製造メーカー名、又は楽器の機種名（符号省略）を記載する。
【００１４】
図３において、２６（２６ａ，２６ｂ）は、前記主体２１の各端部、即ち雄ねじ２２ａ、２２ｂに着脱可能にねじ嵌合させるキャップであり、前記握り体２５を中空部２４に収容した後、前記キャップ２６ａ，２６ｂを取り付けることにより、主体２１の両端部を閉塞し、握り体２５が主体２１から不用意に脱落するのを防止する。なお、前述した柱状の握り体２５は主体２１の外周面から半径方向外方に突出するフランジ状にしてもよい。
【００１５】
図４は他の実施例を示す。このものは、主体２１の下部の雄ねじ２２ａに、上下部の雄ねじ２２ａ、２２ｂとはさらに仕様の異なる雄ねじ２２ｃを有するねじアタッチメント２７を着脱可能にねじ連結したものである。このようにすれば、さらに異種の演奏用ピストンを補修することができる。なお、主体２１の上部の雄ねじ２２ｂにも、前記雄ねじ２２ａ、２２ｂ、２２ｃとはさらに仕様の異なる雄ねじを有する別のねじアタッチメントを着脱可能にねじ連結するようにしてもよい。その他は前述した実施例と略同様の構造となっている。なお、前述した演奏用ピストン補修具２０はプラスチック材により形成してもよい。
【図面の簡単な説明】
【００１６】
【図１】本考案が適用されたトランペットの側面図である。
【図２】図１のＡ部拡大断面図である。
【図３】本考案による演奏用ピストン補修具の断面図である。
【図４】本考案の第２実施例を示す演奏用ピストン補修具の断面図である。
【図５】従来例を示す斜視図である。
【符号の説明】
【００１７】
１０    トランペット
１１    音波導管
１２    シリンダ
１３    キャップ
１５    ピストン
１６    ピストン主体
１６ａ  雌ねじ
１７    ロッド
１８    指受け
２０    演奏用ピストン補修具
２１    主体
２２（２２ａ，２２ｂ）  雄ねじ
２３（２３ａ，２３ｂ）  通し孔
２４    中空部
２５    握り体
２５ａ  本体部
２５ｂ  頭部
２５ｃ  ナット
２６    キャップ
２７    ねじアタッチメント
【図１】
0003121940.tif 000003
【図２】
0003121940.tif 000004
【図３】
0003121940.tif 000005
【図４】
0003121940.tif 000006
【図５】
0003121940.tif 000007